(57)【要約】      （修正有）【課題】傘の大きさに関わらず傘の外周に生地を簡易に取り付けることができる、露先キャップ、傘、及び生地を提供する。【解決手段】露先キャップ１０は、カーテンを傘の外周に取り付けるためのキャップであり、取付部１２と留め部１４とが一体形成されている。なお、カーテンを傘の外周に取り付ける目的は、日除け又は飛沫拡散の抑制等である。取付部１２は、傘の露先に露先キャップ１０を着脱可能とするための取付孔１６を一端に有する円柱形状である。留め部１４は、取付部１２の他端に形成され、取付部１２の外径よりも大きい外径を有する半球形状である。【選択図】図４
0003228908.tif 000002
【実用新案登録請求の範囲】
【請求項１】
生地を傘の外周に取り付けるための露先キャップであり、
傘の露先に着脱可能とするための孔を一端に有する取付部と、
前記取付部の他端に形成され、前記取付部の外径よりも大きい外径を有する留め部と、
を備える露先キャップ。
【請求項２】
前記取付部は、伸縮性を有する素材で形成される、請求項１に記載の露先キャップ。
【請求項３】
前記留め部は、半球形状であり、前記取付部側が平面状である、請求項１又は請求項２に記載の露先キャップ。
【請求項４】
前記留め部は、フックを掛けるための穴が形成されたフック掛け部が設けられる、請求項１から請求項３の何れか１項に記載の露先キャップ。
【請求項５】
前記フック掛け部は、前記留め部の側方に設けられる、請求項４に記載の露先キャップ。
【請求項６】
前記留め部は、前記生地が外れることを抑制するためのストッパ部が側面に設けられる、請求項１から請求項５の何れか１項に記載の露先キャップ。
【請求項７】
前記取付部の前記孔は、前記孔の入り口よりも奥行方向に球形状の空間が設けられる、請求項１から請求項６の何れか１項に記載の露先キャップ。
【請求項８】
前記取付部の前記孔は、奥行方向に向かうに連れて内径が変化する、請求項１から請求項７の何れか１項に記載の露先キャップ。
【請求項９】
前記留め部は、底面が前記取付部に向かって反り返る反り返り部が設けられる、請求項１から請求項８の何れか１項に記載の露先キャップ。
【請求項１０】
前記孔の径は１ｍｍ〜３ｍｍであり、前記孔の深さは９ｍｍ〜１１ｍｍである、請求項１から請求項９の何れか１項に記載の露先キャップ。
【請求項１１】
前記取付部の長さは６ｍｍ〜８ｍｍであり、前記留め部の長さは５．５ｍｍ〜７．５ｍｍである、請求項１から請求項１０の何れか１項に記載の露先キャップ。
【請求項１２】
前記取付部の幅は５ｍｍ〜７ｍｍであり、前記留め部の幅は１０ｍｍ〜１４ｍｍである、請求項１から請求項１１の何れか１項に記載の露先キャップ。
【請求項１３】
前記球形状の空間の内径は、２ｍｍ〜３．４ｍｍである、請求項７に記載の露先キャップ。
【請求項１４】
前記反り返り部の角度は、前記留め部の底面を基準として、３５°から６０°である請求項９に記載の露先キャップ。
【請求項１５】
生地を傘の外周に取り付けるための露先キャップが露先に装着された傘であって、
前記露先キャップは、取付部と留め部とで構成され、前記取付部は、傘の露先に着脱可能とするための孔を一端に有し、前記留め部は、前記取付部の他端に形成され、前記取付部の外径よりも大きい外径を有する、
傘。
【請求項１６】
前記生地が前記露先キャップを介して取り付けられる、請求項１５に記載の傘。
【請求項１７】
露先キャップを介して傘の外周に取り付けられる生地であって、
前記露先キャップは、取付部と留め部とで構成され、前記取付部は、傘の露先に着脱可能とするための孔を一端に有し、前記留め部は、前記取付部の他端に形成され、前記取付部の外径よりも大きい外径を有する、
生地。
【考案の詳細な説明】
【技術分野】
【０００１】
本考案は、露先キャップ、傘、及び生地に関する。
【背景技術】
【０００２】
日除けを目的としてＵＶ（Ultra Violet：紫外線）カット素材のカーテン状の生地（長尺状の生地）が取り付け可能な日傘が販売されている。このような日傘は、カーテン状の生地を日傘の親骨にマジックテープ（登録商標）でとめたり、ボタンによって傘に固定する。
【０００３】
また、特許文献１には、傘全体に上から布をかぶせることにより、傘骨周囲の先端より垂直にのれん状の布が下に垂れ下がり遮光効果を上げる日傘が開示されている。
【先行技術文献】
【特許文献】
【０００４】
【特許文献１】特開２０１４−７９５４７号公報
【考案の概要】
【考案が解決しようとする課題】
【０００５】
しかしながら、特許文献１に開示されている日傘は、実現するためには親骨に生地を直接装着する必要があり、このため接着可能な傘のサイズが大まかに決まっており、大小さまざまな傘に対応することはできなかった。また、上述した販売されているＵＶカット素材のカーテン状の生地が取り付け可能な日傘は、マジックテープ又はボタンが生地に一体的に固定されている。そのため、このような日傘には専用の生地のみ取付可能となるため、需要者が好みのデザインの生地を取り付けることができなかった。
【０００６】
そこで、本考案は、傘の大きさに関わらず傘の外周に生地を簡易に取り付けることができる、露先キャップ、傘、及び生地を提供することを目的とする。
【課題を解決するための手段】
【０００７】
本考案の一態様の露先キャップは、生地を傘の外周に取り付けるための露先キャップであり、傘の露先に着脱可能とするための孔を一端に有する取付部と、前記取付部の他端に形成され、前記取付部の外径よりも大きい外径を有する留め部と、を備える。
【０００８】
本構成によれば、傘の露先に装着された露先キャップに対して留め部の方向から生地の穴を通すことで、露先キャップを介して傘に生地を取り付ける。本構成の露先キャップは、傘の大きさに関わらず傘の外周に生地を簡易に取り付けることができる。また、本構成の露先キャップは、専用の生地でなく市販の生地を取り付けることができるため、取り付ける生地として需要者が好みのデザインを選択することができる。さらに、露先キャップにフックをかけるための穴を備える部品を取り付けることによって、穴の空いていない生地を取り付けることもでき、取り付け可能な生地の種類も限定されない。
【０００９】
上記の露先キャップにおいて、前記取付部及び前記留め部は、伸縮性を有する素材で形成されてもよい。本構成によれば、露先キャップを取り付け可能な露先の径のサイズが限定されない。
【００１０】
上記の露先キャップにおいて、前記留め部は、半球形状であり、前記取付部側が平面状であってもよい。本構成によれば、露先キャップに取り付けた生地が外れ難くなる。
【００１１】
上記の露先キャップにおいて、前記留め部は、フックを掛けるための穴が形成されたフック掛け部が設けられてもよい。本構成によれば、穴を有しない生地であってもフックを介して傘に取り付けることができる。なお、フックは、生地に直接取り付けられるだけでなく、例えば、フックにクリップが備えられ、クリップによって生地を挟むことで、フックを介して生地が傘に取り付けられてもよい。
【００１２】
上記の露先キャップにおいて、前記フック掛け部は、前記留め部の側方に設けられる。本構成によれば、留め部に穴を通して生地を取り付けた場合に、フック掛け部は生地を留め部から外れ難くするためのストッパとしての機能を有する。
【００１３】
上記の露先キャップにおいて、前記留め部は、前記生地が外れることを抑制するためのストッパ部が側面に設けられてもよい。本構成によれば、生地が露先キャップから外れることを抑制できる。
【００１４】
上記の露先キャップにおいて、前記取付部の前記孔は、前記孔の入り口よりも奥行方向に球形状の空間が設けられてもよい。本構成によれば、先端が球形状とされている露先が球形状の空間に収まることで、露先キャップが外れ難くなる。
【００１５】
上記の露先キャップにおいて、前記取付部の前記孔は、奥行方向に向かうに連れて内径が変化してもよい。本構成によれば、異なる径の露先に対して露先キャップを取り付けることができる。
【００１６】
上記の露先キャップにおいて、前記留め部は、底面が前記取付部に向かって反り返る反り返り部が設けられてもよい。本構成によれば、生地が露先キャップから外れることを抑制できる。
【００１７】
上記の露先キャップにおいて、前記孔の径は１ｍｍ〜３ｍｍであり、前記孔の深さは９ｍｍ〜１１ｍｍであってもよい。
【００１８】
上記の露先キャップにおいて、前記取付部の長さは６ｍｍ〜８ｍｍであり、前記留め部の長さは５．５ｍｍ〜７．５ｍｍであってもよい。
【００１９】
上記の露先キャップにおいて、前記取付部の幅は５ｍｍ〜７ｍｍであり、前記留め部の幅は１０ｍｍ〜１４ｍｍであってもよい。
【００２０】
上記の露先キャップにおいて、前記球形状の空間の内径は、２ｍｍ〜３．４ｍｍである。
【００２１】
上記の露先キャップにおいて、前記反り返り部の角度は、前記留め部の底面を基準として、３５°から６０°である。
【００２２】
本考案の一態様の傘は、生地を傘の外周に取り付けるための露先キャップが露先に装着された傘であって、前記露先キャップは、取付部と留め部とで構成され、前記取付部は、傘の露先に着脱可能とするための孔を一端に有し、前記留め部は、前記取付部の他端に形成され、前記取付部の外径よりも大きい外径を有する。
【００２３】
上記の傘において、前記生地が前記露先キャップを介して取り付けられてもよい。
【００２４】
本考案の一態様の生地は、露先キャップを介して傘の外周に取り付けられる生地であって、前記露先キャップは、取付部と留め部とで構成され、前記取付部は、傘の露先に着脱可能とするための孔を一端に有し、前記留め部は、前記取付部の他端に形成され、前記取付部の外径よりも大きい外径を有する。
【考案の効果】
【００２５】
本考案によれば、傘の大きさに関わらず傘の外周に生地を簡易に取り付けることができる。
【図面の簡単な説明】
【００２６】
【図１】図１は、第１実施形態の露先キャップを傘へ装着した状態を示す図である。
【図２】図２は、第１実施形態の露先キャップを装着した傘にカーテンを取り付けた状態を示す図であり、（Ａ）は全体図であり、（Ｂ）は部分拡大図である。
【図３】図３は、第１実施形態の傘へ取り付けられるカーテンを示す図である。
【図４】図４は、第１実施形態の露先キャップの縦断面図であり、（Ａ）は円柱形状の取付孔を示し、（Ｂ）はテーパ形状の取付孔を示し、（Ｃ）は球形状空間が設けられる取付孔を示し、（Ｄ）は複数の球形状空間が設けられる取付孔を示す。
【図５】図５は、第２実施形態の露先キャップを示す斜視図であり、（Ａ）は上方斜視図であり、（Ｂ）は下方斜視図である。
【図６】図６は、他の実施形態の露先キャップを示す上方斜視図である。
【図７】図７は、反り返り部が設けられた露先キャップを示す図であり、（Ａ）は、反り返り部が設けられた露先キャップの側面図であり、（Ｂ）は、反り返り部が設けられた露先キャップの使用例である。
【考案を実施するための形態】
【００２７】
以下、図面を参照して本考案の実施形態を説明する。なお、以下に説明する実施形態は、本考案を実施する場合の一例を示すものであって、本考案を以下に説明する具体的構成に限定するものではない。本考案の実施にあたっては、実施形態に応じた具体的構成が適宜採用されてよい。
【００２８】
（第１実施形態）
図１は、本実施形態の露先キャップ１０を傘１へ装着した状態を示す図である。図２は、本実施形態の露先キャップ１０を装着した傘１に生地（以下「カーテン」という。）２を取り付けた状態を示す図である。なお、図２（Ａ）は、露先キャップ１０を装着した傘１にカーテン２を取り付けた状態を示す全体図であり、図２（Ｂ）は、図２（Ａ）における領域Ａの部分拡大図である。また、図３は、本実施形態の傘１へ取り付けられるカーテン２を示す図である。
【００２９】
なお、本実施形態の傘１は、一例として日傘であるが、これに限らず、雨傘又は折り畳み式の傘でもよい。
【００３０】
本実施形態の露先キャップ１０は、カーテン２を傘１の外周に取り付けるためのキャップであり、取付部１２と留め部１４とが一体形成されている。なお、カーテン２を傘１の外周に取り付ける目的は、日除け又は飛沫拡散の抑制等である。
【００３１】
取付部１２は、傘１の露先に露先キャップ１０を着脱可能とするための孔（以下「取付孔」という。）１６（図４参照）を一端に有する円柱形状である。留め部１４は、取付部１２の他端に形成され、取付部１２の外径よりも大きい外径を有する半球形状である。
【００３２】
露先キャップ１０は、取付部１２に形成された取付孔１６に傘１の露先を差し込むことで、傘１に取り付けられる。露先キャップ１０が装着される傘１は、露先に露先キャップ１０が着脱可能であれば、大きさは限定されない。
【００３３】
本実施形態の露先キャップ１０は、一例として、取付部１２及び留め部１４が伸縮性を有する素材で形成される。伸縮性を有する素材とは、換言すると弾性を有する素材であり、例えば、エラストマー、樹脂、及びゴム等である。露先キャップ１０を伸縮性のある素材とすることで、露先キャップ１０を簡易に露先に脱着することができる。また、露先キャップ１０を露先に取り付けた場合に、取付部１２が露先を絞めることとなるので、露先から露先キャップ１０が外れ難くなる。
【００３４】
そして、傘１の露先に装着された露先キャップ１０に対して留め部１４の方向からカーテン２の穴３を通すことで、露先キャップ１０を介して傘１にカーテン２を取り付ける。従って、本実施形態の露先キャップ１０は、傘１の大きさに関わらず傘１の外周にカーテン２を簡易に取り付けることができる。また、本実施形態の露先キャップ１０は、専用のカーテン２でなく市販のカーテン２を取り付けることができるため、取り付けるカーテン２として需要者が好みのデザインを選択することができる。さらに、露先キャップ１０にフックをかけるための穴を備える部品を取り付けることによって、穴の空いていないカーテン２を取り付けることもでき、取り付け可能なカーテン２の種類も限定されない。
【００３５】
さらに、本実施形態の露先キャップ１０を介してカーテン２が取り付けられた傘１は、カーテン２を取り外すことなく折り畳むことができる。具体的には、傘１の先端を下方向に向けて折り畳むと、カーテン２が傘１の露先に取り付けられているのでカーテン２が自然と傘１の内側に入り込み、そのまま傘１を閉じることができる。なお、カーテン２が布製であると、カーテン２が傘１の折り畳みを阻害することなく、簡易に折り畳むことができる。また、カーテン２を取り付けたまま傘１を閉じた場合、レース生地４の一部が露先に表れたままとなるので、傘１を閉じた際の美観が向上する。
【００３６】
なお、本実施形態の留め部１４は、半球形状であり、取付部１２側が平面状とされる。このような留め部１４の形状により、取り付けられたカーテン２の穴３は、傘１を開いた場合に下側を向いた留め部１４に引っ掛かるので、カーテン２が外れ難くなる（図２（Ｂ）参照）。
【００３７】
また、図２（Ａ）に示されるように、一例として、傘１に取り付けられるカーテン２は長尺状であり、長尺方向に等間隔で穴３が形成される。一例として、本実施形態のカーテン２は、カーテン２そのものに穴３が形成されておらず、等間隔で複数の穴３が形成されたレース状の生地（以下「レース生地」という。）３が長尺方向に設けられている。なお、これに限らず、カーテン２のそのものに等間隔で穴３が形成されてもよい。
【００３８】
本実施形態のカーテン２とレース生地４とは、図３の例に示されるように、カーテン２の一辺に対してレース生地４が縫い合わされたり、接着されてもよい。カーテン２の穴３をレース生地４とすることで、傘１にカーテン２を取り付けた場合における傘１の美観が向上する。なお、図３に示されるレース生地４のデザインは一例であり、これに限られない。
【００３９】
カーテン２及びレース生地４は、一例として、天然繊維や合成繊維で形成された布であるが、これに限らず、ビニール素材等でもよい。なお、カーテン２は、使用者の視認性を阻害しないように透過性のある生地とすることが好ましい。
【００４０】
また、カーテン２は、傘１の外周全体に取り付けられる必要はなく、外周の半分や外周の１／３等の範囲に取り付けられてもよい。さらに、傘１を開いた状態でのカーテン２の上下方向の長さも限定されるものではないが、一例として、カーテン２を取り付けた傘１の使用者の顔が隠れる程度の長さが好ましい。
【００４１】
図４は、本実施形態の露先キャップ１０の縦断面図であり、露先キャップ１０の寸法及び取付孔１６の形状を示す。
【００４２】
本実施形態の取付孔１６の形状は、傘１の露先に脱着可能であれば特に限定されないものの、取付孔１６の径Ｌ１は、一般的な傘１の露先の径よりも若干小さく形成される。なお、一般的に露先の径が３．４ｍｍ程度のもの又は３．１ｍｍ程度の傘の流通量が多い。また、取付孔１６の深さＬ２は、一般的な傘１の露先の長さよりも短いものの、露先キャップ１０を露先に装着した場合に外れ難い長さであればよい。例えば、取付孔１６の径Ｌ１は１ｍｍ〜３ｍｍであり、好ましくは２ｍｍである。また、取付孔１６の深さＬ２は９ｍｍ〜１１ｍｍであり、好ましくは１０ｍｍである。
【００４３】
また、取付部１２の長さＬ３と留め部１４の長さＬ４も特に限定されるものではないが、例えば、取付部１２の長さＬ３は６ｍｍ〜８ｍｍであり、好ましくは７ｍｍである。また、留め部１４の長さＬ４は５．５ｍｍ〜７．５ｍｍであり、好ましくは６．５ｍｍである。
【００４４】
また、取付部１２の幅Ｌ５と留め部１４の幅Ｌ６は、留め部１４の幅Ｌ６が取付部１２の幅Ｌ５よりも大きければよく、例えば、取付部１２の幅Ｌ５は５ｍｍ〜７ｍｍであり、好ましくは６．５ｍｍである。また、留め部１４の幅Ｌ６は１０ｍｍ〜１４ｍｍであり、好ましくは１２ｍｍである。
【００４５】
次に、取付孔１６の形状の詳細について説明する。図４（Ａ）は円柱形状の取付孔１６を示し、図４（Ｂ）はテーパ形状の取付孔１６を示し、図４（Ｃ）は球形状の空間（以下「球形状空間」という。）１８が設けられる取付孔１６を示し、図４（Ｄ）は複数の球形状空間１８が設けられる取付孔１６を示す。
【００４６】
図４（Ａ）の取付孔１６は、入り口から最奥部に至るまで同じ内径の円柱形状である。一方、図４（Ｂ）の取付孔１６は、奥行方向に向かうに連れて内径が変化するテーパ形状である。図４（Ｂ）の取付孔１６は、奥に向かうほど内径が小さくなるので、様々な径の露先に対しても露先キャップ１０を取り付けることができる。なお、図４（Ｂ）の取付孔１６における径Ｌ１は、一例として、内径の平均値とする。また、取付孔１６は、奥に向かうほど内径が大きくなってもよい。
【００４７】
さらに、露先の先端部分が球形状とされている傘１が多く流通している。そこで、図４（Ｃ），（Ｄ）の取付孔１６には、取付孔１６の入り口よりも奥行方向に球形状空間１８が設けられる。すなわち、先端が球形状とされている露先を図４（Ｃ）又は図４（Ｄ）の取付孔１６に挿入すると、露先の球形状部分が取付孔１６の球形状空間１８に収まることにより、露先キャップ１０は露先から外れ難くなる。なお、上述したように、一般的に露先の径が３．４ｍｍ程度のもの又は３．１ｍｍ程度の傘の流通量が多い。そのため、図４（Ｃ）又は図４（Ｄ）の球形状空間１８の内径は２ｍｍ〜３．４ｍｍであり、好ましくは３ｍｍである。
【００４８】
なお、図４（Ｄ）の例では、取付孔１６に異なる内径の複数の球形状空間１８が設けられており、図４（Ｄ）の球形状空間１８は、奥側の内径が大きくなっているが、これは一例であり、奥側の内径が小さくてもよい。また、取付孔１６に設けられる異なる内径の球形状空間１８は３つ以上でもよい。また、一例として、図４（Ｄ）の取付孔１６では、２つの球形状空間１８は離間しており、離間している部分は円柱形状となっている。このため、図４（Ｄ）の取付部１２は、球形状となっていない露先に対しては、２つの球形状空間１８の間における円柱形状の部分で絞めることで、露先キャップ１０が露先に取り付けられる。
【００４９】
また、図４（Ａ），（Ｂ）に示される取付孔１６は、横断面が円形状であるが、これに限られず、横断面が四角形状でもよい。すなわち、取付孔１６の形状が長方形状でもよい。また、図４（Ｃ），（Ｄ）のように球形状空間１８が設けられる取付孔１６においても、奥行方向に径が変化してもよい。
【００５０】
なお、露先キャップ１０を構成する取付部１２及び留め部１４は、必ずしも双方が伸縮性を有する素材で形成される必要はなく、少なくとも取付部１２が伸縮性を有する素材で形成されていてもよい。例えば、取付孔１６の深さＬ２の長さが、取付部１２の長さＬ３の長さ以下又は同等である場合、少なくとも取付部１２が伸縮性を有する素材で形成されていることによって、露先キャップ１０を取り付け可能な露先の径に幅をもたせることができる。本実施形態では、取付孔１６の深さＬ２の長さが、取付部１２の長さＬ３の長さより長いため、上述のように、露先キャップ１０を構成する取付部１２及び留め部１４の双方が、伸縮性を有する素材で形成されている。このように、少なくとも取付部１２が伸縮性を有することにより、露先キャップ１０を取り付け可能な露先の径のサイズが限定されない。
【００５１】
（第２実施形態）
図５は、本実施形態の露先キャップ１０を示す斜視図であり、図５（Ａ）は露先キャップ１０の上方斜視図であり、図５（Ｂ）は露先キャップ１０の下方斜視図である。
【００５２】
本実施形態の露先キャップ１０を構成する留め部１４は、フックを掛けるためのフック穴２０が形成されたフック掛け部２２が設けられる。そして、本実施形態のカーテン２は、フックを介してフック掛け部２２に取り付けられる。
【００５３】
なお、カーテン２を留め部１４に取り付けるためのフックの形状は、特に限定されない。また、フックは、カーテン２に直接取り付けられるだけでなく、例えば、フックにクリップが備えられ、クリップによってカーテン２を挟むことで、フックを介してカーテン２が傘１に取り付けられてもよい。
【００５４】
また、本実施形態のフック掛け部２２は、留め部１４の側方に設けられる。具体的には、フック掛け部２２の底面と留め部１４の底面とが同一面となるように、フック掛け部２２が留め部１４に設けられる。
【００５５】
このような構成によれば、留め部１４に穴３を通してカーテン２を取り付けた場合に、フック掛け部２２が、カーテン２を留め部１４から外れ難くするためのストッパとして機能を有することなる。これにより、カーテン２が留め部１４から外れることを抑制できる。
【００５６】
図５に示されるフック掛け部２２は、一例として、円環形状であるが、これに限らず、フック穴２０が形成されていれば、他の形状でもよい。また、図５に示される露先キャップ１０は、留め部１４の外周に一つのフック掛け部２２が形成されているが、これに限らず、フック掛け部２２は留め部１４の外周に２つ以上形成されてもよい。また、フック掛け部２２は、留め部１４の側面ではなく、留め部１４の頂部等、他の位置に設けられてもよい。
【００５７】
以上、本考案を、上記実施形態を用いて説明したが、本考案の技術的範囲は上記実施形態に記載の範囲には限定されない。考案の要旨を逸脱しない範囲で上記実施形態に多様な変更又は改良を加えることができ、該変更又は改良を加えた形態も本考案の技術的範囲に含まれる。  
【００５８】
例えば、図６に示されるように、露先キャップ１０の留め部１４は、カーテン２が外れることを抑制するためのストッパ部３０が側面に設けられてもよい。図６の例では、留め部１４の側面の一部に板形状の一つのストッパ部３０が設けられているが、これに限らず、留め部１４は、複数のストッパ部３０が側面に設けられてもよいし、留め部１４の全周に渡って留め部１４を囲うようにストッパ部３０が設けられてもよい。図６に示されるストッパ部３０によって、カーテン２が露先キャップ１０から外れることを抑制できる。
【００５９】
また、図７に示されるように、露先キャップ１０の留め部１４には、反り返り部４０が設けられてもよい。図７（Ａ）は、反り返り部４０が設けられた露先キャップ１０の側面図であり、図７（Ｂ）は、反り返り部４０が設けられた露先キャップ１０の使用例である。
【００６０】
図７（Ａ）のように反り返り部４０は、留め部１４の底面の一部が取付部１２に向かって反り返っている。反り返り部４０の取付部１２側である領域Ｂは、留め部１４の底面に対して窪んでいる。また、反り返り部４０の反り返り角度θは、留め部１４の底面を基準（０°）として、例えば、３５°〜６０°であり、好ましくは４０°である。
【００６１】
図７（Ｂ）に示されるように、反り返り部４０が設けられた露先キャップ１０は、傘１を開いて使用している状態において、反り返り部４０が上を向くよう露先に取り付けられる。これにより、穴３が露先キャップ１０に挿入されることで傘１に取り付けられたカーテン２は、反り返り部４０の領域Ｂによって、カーテン２の穴３の周囲が固定され易くなるため、カーテン２の穴３が留め部１４を乗り越えるように傘１から外れることが抑制される。そして、同時に、反り返り部４０によってカーテン２が押さえられることで、カーテン２が前側（留め部１４側）に倒れ難くなるため、傘１から外れることが抑制される。
【００６２】
なお、図７（Ａ）の例では、第１実施形態の露先キャップ１０に反り返り部４０が設けられる形態を示しているが、これに限らず、図７（Ｂ）のように第２実施形態又は図６に示される露先キャップ１０に反り返り部４０が設けられる形態としてもよい。図７（Ｂ）の形態では、フック掛け部２２又はストッパ部３０に対して対向する位置に反り返り部４０が設けられる。図７（Ｂ）に示されるように、露先キャップ１０にフック掛け部２２又はストッパ部３０が設けられることで、フック掛け部２２又はストッパ部３０がカーテン２を押さえつけることとなるので、カーテン２が傘から外れることをより抑制できる。
【００６３】
本実施形態の露先キャップ１０の留め部１４は、下面を平面状とした半球形状とする形態について説明したが、本考案はこれに限られず、留め部１４は球形状でもよい。また、本実施形態の露先キャップ１０は、取付部１２を円柱形状とし、留め部１４を半球形状とする形態について説明したが、本考案はこれに限られず、取付部１２を長方形状とし、留め部１４を立方体形状とするように、露先キャップ１０は内部に取付孔１６が形成され、留め部１４によってカーテン２を留めることができれば、他の形状でもよい。
【符号の説明】
【００６４】
１    傘
２    カーテン（生地）
３    穴
１０  露先キャップ
１２  取付部
１４  留め部
１６  取付孔（孔）
２２  フック掛け部
３０  ストッパ部
４０  反り返り部
【図１】
0003228908.tif 000003
【図２】
0003228908.tif 000004
【図３】
0003228908.tif 000005
【図４】
0003228908.tif 000006
【図５】
0003228908.tif 000007
【図６】
0003228908.tif 000008
【図７】
0003228908.tif 000009